(57)【要約】【課題】ツキノワグマ等の錯誤捕獲の防止を図ると共に、セットしたときの括り部の大きさを調節でき、緩和措置による括り部の大きさの規制値の違いに対応することができる括り罠用仕掛け補助器具を提供する。【解決手段】括り罠用仕掛け補助器具(A1)は、上部に開口部(17)を有する器具本体(1)と、器具本体(1)の上部に開口部(17)を横切るよう架け渡されている括り部調節体(19)を備えている。括り部調節体(18)は、前面板(10)との間隔を調節できるようにして器具本体(1)に取り付けられ、括り罠のワイヤロープ(37)に形成されている括り部(370)を嵌め入れるワイヤ嵌入部(182)を有しており、括り部調節体(18)と前面板(10)の間隔を調節することにより、組み合わせられる括り罠が有するワイヤロープ(37)の、ワイヤ嵌入部(123,133,182)に嵌め入れる括り部の大きさを調節できるようにしてある。【選択図】図２
2014079239.tif 000002
【特許請求の範囲】
【請求項１】
ワイヤロープを輪状に形成した括り部で捕獲獣の足を括る括り罠と組み合わせて使用する括り罠用仕掛け補助器具であって、
該括り罠用仕掛け補助器具は、
獣足が入る開口部と、
該開口部の周りに設置される前記括り部の大きさを調節する括り部調節手段と、
を有する、
括り罠用仕掛け補助器具。
【請求項２】
ワイヤロープとトリガー具を有する括り罠と組み合わせられ、仕掛け用穴に収容して使用する括り罠用仕掛け補助器具であって、
上部に獣足が入る開口部を有する中空体である器具本体と、
該器具本体の上部に、前記開口部を横切るよう架け渡して取り付けられている括り部調節体と、
を備えており、
前記器具本体は、
該器具本体を構成する前面部材に前記括り罠のトリガー具を通す、上部が開放された通し部を有し、前記器具本体の後部に、前記括り罠のトリガー具との間で踏板を支持する踏板受部を有しており、
前記括り部調節体は、
前記前面部材との間隔を調節する間隔調節手段により取り付けられ、前記括り罠のワイヤロープの括り部を嵌め入れるワイヤ嵌入部を有しており、
前記間隔調節手段で、前記括り部調節体と前記前面部材の間隔を調節することにより、組み合わせる前記括り罠が有するワイヤロープの、前記ワイヤ嵌入部に嵌め入れる括り部の大きさを調節できる、
括り罠用仕掛け補助器具。
【請求項３】
前記括り部調節手段は、
ワイヤロープの括り部を保持し、位置を調節することで前記括り部の大きさを調節する括り部調節体を有する、
請求項１記載の括り罠用仕掛け補助器具。
【請求項４】
前記間隔調節手段は、
器具本体において、括り部調節体が取り付けられる両側に対向して、前後方向に形成された長孔又は前後方向に複数形成されている通し孔と、
括り部調節体の長手方向の両端側に形成されている螺子孔と、
前記器具本体の前記長孔又は前記通し孔に螺子部を貫通させて前記括り部調節体の前記螺子孔に螺着する固定用螺子と、
からなる、
請求項２記載の括り罠用仕掛け補助器具。
【請求項５】
前記器具本体は、前記開口部の周りに獣足を括り罠の踏板へ誘導する傾斜面を有する、
請求項２又は４記載の括り罠用仕掛け補助器具。
【請求項６】
前記器具本体は、前記開口部を構成し前記各ワイヤ嵌入部につながる側板の上部側が鉛直方向に立ち上がっている、
請求項２又は４記載の括り罠用仕掛け補助器具。
【請求項７】
前記器具本体の前記開口部の縁部又は近傍に形成され、括り罠のワイヤロープの括り部を嵌め入れる器具本体側ワイヤ嵌入部を有する、
請求項２、４、５又は６記載の括り罠用仕掛け補助器具。
【請求項８】
前記器具本体は、括り罠が備えている杭取付具を受ける杭取付具受部を有しており、該杭取付具受部は、前記器具本体の通し部の下側に高さ調節手段により高さ調節自在に取り付けられている、
請求項２、４、５、６又は７記載の括り罠用仕掛け補助器具。
【請求項９】
前記踏板受部は、高さ調節手段により高さ調節自在である、
請求項２、４、５、６、７又は８記載の括り罠用仕掛け補助器具。
【請求項１０】
前記ワイヤ嵌入部は底板を有し、該底板が外側方向へ上り傾斜させてあり、前記底板に前記括り部調節体の移動調節のために固定用ネジを通す長孔を有する、
請求項２、４、５又は６記載の括り罠用仕掛け補助器具。
【発明の詳細な説明】
【技術分野】
【０００１】
本発明は、括り罠用仕掛け補助器具に関するものである。更に詳しくは、括り罠用仕掛け補助器具において、クマの錯誤捕獲の防止を図ると共に、括り罠のワイヤロープの括り部の大きさを調節でき、緩和措置による括り部の大きさの規制値の違いに対応することができる括り罠用仕掛け補助器具に関する。
【背景技術】
【０００２】
小石や比較的大きな石を含む石混じりの土質の地盤で括り罠の仕掛けをする場合、獣道に罠の仕掛け用穴（落とし穴）を掘るときに、土に埋まっている石が邪魔になって、必要な形状の仕掛け用穴を短時間で形成することは難しい。このため、括り罠の仕掛けに時間が掛かりすぎて周辺に人や猟具のにおいを残してしまったり、仕掛けられた括り罠の固定が不安定になって捕獲率が低下する等、問題が生じていた。
このような地盤で括り罠を手早く仕掛けることができるものとして、例えば本願発明者が提案した特許文献１に記載の括り罠用仕掛け補助器具がある。
【０００３】
従来の括り罠用仕掛け補助器具は、括り罠と組み合わせられ、仕掛け用穴に収容して使用するものであり、中空体である器具本体と、括り罠のワイヤロープの括り部を掛けるワイヤ掛け部とを備え、例えば石混じりの土質の地盤で括り罠の仕掛けをする際に、石が邪魔になって、形が整った仕掛け用穴が形成しにくい場合でも、大きめにあらかた形成した仕掛け用穴の内部にそのまま収容することにより、括り罠や踏板のセットが容易で括り罠を迅速に仕掛けることができるというものである。
【０００４】
ところで、狩猟には、従来から錯誤捕獲という問題がある。錯誤捕獲とは、鳥獣保護法（鳥獣の保護及び狩猟の適正化に関する法律）によって特定鳥獣に指定され、都道府県によって保護管理されている獣類、例えばツキノワグマが、捕獲対象獣であるイノシシやシカを捕獲するための括り罠等の罠にかかってしまうことをいう。罠にかかったツキノワグマを放獣する作業は、非常に危険であるため、そのまま処分されてしまうことも多く、これが原因のひとつとなって、国内のツキノワグマの個体数の減少が危惧されている。
【０００５】
そこで、平成１９年４月に鳥獣保護法の改正が行われ、括り罠の括り部の直径が１２ｃｍを超えるものが禁止された。特許文献１の明細書に記載されている括り罠用仕掛け補助器具Ｂ３（図１２乃至図１５参照）は、括り罠の輪状の括り部を直径１２ｃｍの大きさで手早くセットすることができるものであり、括り部の直径の規制に対応した仕様となっている。
【先行技術文献】
【特許文献】
【０００６】
【特許文献１】特開２０１１−１９３８０９号公報
【発明の概要】
【発明が解決しようとする課題】
【０００７】
しかしながら、従来の括り罠用仕掛け補助器具（特に、括り罠用仕掛け補助器具Ｂ３）には、次のような課題があった。
すなわち、上記のような鳥獣保護法の改正は、狩猟における錯誤捕獲を防止するためには必要な法律である。しかし、上記鳥獣保護法の改正以降、規制された大きさでは括り部が小さすぎて捕獲対象獣の捕獲率が悪くなる傾向があった。このため、自治体によっては、地域を分けて緩和措置がとられ、例えば括り部の直径を法が定める１２ｃｍ以内から１５ｃｍ以内に緩和しているところもある。
【０００８】
上記従来の括り罠用仕掛け補助器具は、括り部の直径の規制が１２ｃｍ以内の区域であれば、規制枠内の最大の機能性をもって使用できる。しかし、緩和措置がとられている対象区域においては、括り罠用仕掛け補助器具Ｂ３を使用しても、ワイヤ掛け部の位置が変えられないため、括り部の直径を正確に１５ｃｍに設定することが難しい。このため、括り部の直径が１２ｃｍのままで、１５ｃｍより捕獲率において機能性が劣った状態で使用せざるを得ず、上記緩和措置を有効に利用することができなかった。
【０００９】
本発明は、以上の点に鑑みて創案されたものであり、ツキノワグマ等の錯誤捕獲の防止を図ると共に、括り罠のワイヤロープの括り部の大きさを調節でき、緩和措置による括り部の大きさの規制値の違いにも対応することができる括り罠用仕掛け補助器具を提供することを目的とする。
【課題を解決するための手段】
【００１０】
本発明は、ワイヤロープを輪状に形成した括り部で捕獲獣の足を括る括り罠と組み合わせて使用する括り罠用仕掛け補助器具であって、該括り罠用仕掛け補助器具は、獣足が入る開口部と、該開口部の周りに設置される前記括り部の大きさを調節する括り部調節手段とを有する、括り罠用仕掛け補助器具である。
【００１１】
本発明は、ワイヤロープとトリガー具を有する括り罠と組み合わせられ、仕掛け用穴に収容して使用する括り罠用仕掛け補助器具であって、上部に獣足が入る開口部を有する中空体である器具本体と、該器具本体の上部に、前記開口部を横切るよう架け渡して取り付けられている括り部調節体とを備えており、前記器具本体は、該器具本体を構成する前面部材に前記括り罠のトリガー具を通す、上部が開放された通し部を有し、前記器具本体の後部に、前記括り罠のトリガー具との間で踏板を支持する踏板受部を有しており、前記括り部調節体は、前記前面部材との間隔を調節する間隔調節手段により取り付けられ、前記括り罠のワイヤロープの括り部を嵌め入れるワイヤ嵌入部を有しており、前記間隔調節手段で、前記括り部調節体と前記前面部材の間隔を調節することにより、組み合わせる前記括り罠が有するワイヤロープの、前記ワイヤ嵌入部に嵌め入れる括り部の大きさを調節できる、括り罠用仕掛け補助器具である。
【００１２】
本発明は、前記括り部調節手段が、ワイヤロープの括り部を保持し、位置を調節することで前記括り部の大きさを調節する括り部調節体を有する構成としてもよい。
【００１３】
本発明は、前記間隔調節手段が、器具本体において、括り部調節体が取り付けられる両側に対向して、前後方向に形成された長孔又は前後方向に複数形成されている通し孔と、括り部調節体の長手方向の両端側に形成されている螺子孔と、前記器具本体の前記長孔又は前記通し孔に螺子部を貫通させて前記括り部調節体の前記螺子孔に螺着する固定用螺子からなる構成としてもよい。
【００１４】
本発明は、前記器具本体が、前記開口部の周りに獣足を括り罠の踏板へ誘導する傾斜面を有する構成としてもよい。
【００１５】
本発明は、前記器具本体が、前記開口部を構成し前記各ワイヤ嵌入部につながる側板の上部側が鉛直方向に立ち上がっている構成としてもよい。
【００１６】
本発明は、前記器具本体の前記開口部の縁部又は近傍に形成され、括り罠のワイヤロープの括り部を嵌め入れる器具本体側ワイヤ嵌入部を有する構成としてもよい。
【００１７】
本発明は、前記器具本体は、括り罠が備えている杭取付具を受ける杭取付具受部を有しており、該杭取付具受部は、前記器具本体の通し部の下側に高さ調節手段により高さ調節自在に取り付けられている構成としてもよい。
【００１８】
本発明は、前記踏板受部が、高さ調節手段により高さ調節自在である構成としてもよい。
【００１９】
本発明は、前記ワイヤ嵌入部が底板を有し、該底板が外側方向へ上り傾斜させてあり、前記底板に前記括り部調節体の移動調節のために固定用ネジを通す長孔を有する構成としてもよい。
【００２０】
（作用）
本発明に係る括り罠用仕掛け補助器具の作用を説明する。
括り罠用仕掛け補助器具は、括り部調節手段によって、獣足が入る開口部の周りに設置される括り罠のワイヤロープの括り部の大きさを調節することができる。
また、間隔調節手段で、括り部調節体と器具本体の前部材の間隔を適宜調節することによって、ワイヤ嵌入部に嵌め入れるワイヤロープの括り部の大きさを調節することができる。これにより、括り部の大きさを規制値に合わせて調節することが可能になる。
【００２１】
例えば、括り部の直径が１２ｃｍ以下で規制される区域においては、括り部調節体と器具本体の前部材の間隔を、嵌め入れた括り部の大きさが１２ｃｍとなるように予め設定しておくことにより、括り罠を手早く簡単にセットすることができる。
【００２２】
また、括り罠用仕掛け補助器具を、例えば括り部の直径を１５ｃｍ以下にできるように緩和措置がとられている区域で使用する場合は、括り部調節体と器具本体の前部材の間隔を、嵌め入れた括り部の大きさが１５ｃｍとなるように予め設定しておけば、上記と同様に括り罠を手早く簡単にセットすることができる。
【００２３】
また、上記括り部の大きさであれば、例えばツキノワグマの前足、後ろ足の掌部の方が大きく、括り部調節体で邪魔されて踏板を踏むことはなく、括り罠は作動しない。
このように、括り罠用仕掛け補助器具によれば、ツキノワグマ等の錯誤捕獲の防止を図ると共に、括り部の大きさを調節できるので、緩和措置による括り部の大きさの規制値の違いに対応することができる。
【００２４】
器具本体が、開口部の周りに獣足を括り罠の踏板へ誘導する傾斜面を有するものは、誘導された獣足は踏板を踏み抜く確率が高くなるので、捕獲率が向上する。
【００２５】
前記器具本体が、前記開口部を構成し前記各ワイヤ嵌入部につながる側板の上部側が鉛直方向に立ち上がっているものは、例えばイノシシの捕獲を例にとると、足の後爪がワイヤ嵌入部又は器具本体側ワイヤ嵌入部を構成する部材に引っ掛かるようにして（後で説明する図１４参照）足に体重がかかった場合、前爪の下方に邪魔になる部分がないので、前爪は後爪が引っ掛かった部分を中心として下方へ回るようにして落ちる。これにより、踏板に載せてある草や土が前爪で上から押され、踏板が落ちて、括り罠が作動し、イノシシの足は後爪と前爪の股の近く、つまり前爪の根元部分がワイヤロープの括り部で括られる。括り部がこの部分を括ることにより、括った後も括り部が外れにくく、この括り方でもイノシシの捕獲が可能になり、捕獲率が向上する。
【００２６】
器具本体の開口部の縁部又は近傍に形成され、括り罠のワイヤロープの括り部を嵌め入れる器具本体側ワイヤ嵌入部を有するものは、括り部を括り部調節体のワイヤ嵌入部だけでなく、器具本体側ワイヤ嵌入部に嵌め入れることにより、セットしたときの括り部の形を整えることができるので、括り罠の作動による括り部による括り動作が安定し、捕獲率の向上が期待できる。
【００２７】
器具本体が、括り罠が備えている杭取付具を受ける杭取付具受部を有しており、該杭取付具受部は、上記器具本体の通し部の下側に高さ調節手段により高さ調節自在に取り付けられているものは、罠の設置角度の違いによって杭取付具の高さが変わっても、杭取付具を受ける杭取付具受部の高さを杭取付具の高さに合わせて調節することにより、括り罠を安定させてセットすることができる。
【００２８】
踏板受部が、高さ調節手段により高さ調節自在であるものは、例えば括り罠の仕様が異なり、トリガー具に載置される踏板の高さが変わっても、踏板受部の高さを踏板が水平になるように調節することができる。
【００２９】
前記ワイヤ嵌入部が底板を有し、該底板が外側方向へ上り傾斜させてあり、前記底板に前記括り部調節体の移動調節のために固定用ネジを通す長孔を有するものは、括り部調節体の移動調節時の固定用として蝶ネジ等の固定用ネジを使用する場合において、固定用ネジのネジ部が底板の下側において外側に開くように傾くので、手操作で固定用ネジの締め付け作業や緩め作業を行う際に、固定用ネジと、ワイヤ嵌入部につながる縦板との間の隙間が広くなり、作業がしやすくなる。
【発明の効果】
【００３０】
本発明は、例えば石混じりの土質の地盤で括り罠の仕掛けをする際に、石が邪魔になって仕掛け用穴が形成しにくい場合でも、括り罠を迅速かつ安定よく仕掛けることができるように補助することができる括り罠用仕掛け補助器具において、ツキノワグマ等の錯誤捕獲の防止を図ると共に、括り罠のワイヤロープの括り部の大きさを、緩和措置による括り部の大きさの規制値の違いに合わせて調節できる括り罠用仕掛け補助器具を提供することができる。
【図面の簡単な説明】
【００３１】
【図１】本発明に係る括り罠用仕掛け補助器具の第１実施の形態を示す斜視図である。
【図２】図１に示す括り罠用仕掛け補助器具の分解斜視図である。
【図３】図１に示す括り罠用仕掛け補助器具の縦断面図である。
【図４】図１に示す括り罠用仕掛け補助器具の平面視説明図である。
【図５】括り罠用仕掛け補助器具の使用状態を示す一部断面説明図である。
【図６】括り罠用仕掛け補助器具の使用状態における錯誤捕獲を防止する作用を説明する平面視説明図である。
【図７】本発明に係る括り罠用仕掛け補助器具の第２実施の形態を示し、組み合わせる括り罠に合わせて踏板受け部材の高さを最も低く調節した状態の正面視断面説明図である。
【図８】図７に示す括り罠用仕掛け補助器具と括り罠を組み合わせた状態を示す一部断面説明図である。
【図９】図７に示す罠用仕掛け補助器具において、組み合わせる他の括り罠に合わせて踏板受け部材の高さをやや高く調節した状態の正面視断面説明図である。
【図１０】図７に示す括り罠用仕掛け補助器具と他の括り罠を組み合わせた状態を示す一部断面説明図である。
【図１１】本発明に係る括り罠用仕掛け補助器具の第３実施の形態を示す斜視図である。
【図１２】図１１に示す罠用仕掛け補助器具の正面図である。
【図１３】図１１に示す罠用仕掛け補助器具の縦断面図である。
【図１４】図１１に示す罠用仕掛け補助器具の作用を示す説明図である。
【図１５】本発明に係る括り罠用仕掛け補助器具の第４実施の形態を示す正面図である。
【図１６】本発明に係る括り罠用仕掛け補助器具の第５実施の形態を示す正面図である。
【発明を実施するための形態】
【００３２】
〔実施の形態〕
【００３３】
本発明を図面に示した実施の形態に基づき詳細に説明する。
図１乃至図４を参照する。
括り罠用仕掛け補助器具Ａ１は、金属製（鉄やステンレススチール等）であり、上下が開口した器具本体１と、器具本体１の上部開口側に取り付けられている括り部調節体１８を備えている。
【００３４】
器具本体１は、前部材である前面板１０、後面板１１及び左右の側面板１２、１３を有し、上側と下側は開口している。
前面板１０は、使用時、鉛直方向へ直立する長方形状の縦板１０１と、縦板１０１上端の左右に形成されている傾斜板１０２、１０３で構成されている。縦板１０１の下端には、補強板１０９が縦板１０１を内方へ直角に折り曲げて全長にわたり形成されている。
【００３５】
傾斜板１０２、１０３は、縦板１０１の上端に後面板１１方向へ張り出すように、互いに同じ所要の角度（本実施の形態では、縦板１０１に対して約３５°）で傾斜して設けられている。また、傾斜板１０２、１０３の上端には、縦板１０１と平行になるように直立させて上端板１０２ａ、１０３ａが形成されている。
【００３６】
上端板１０２ａ、１０３ａは、空打ちになりやすい位置での獣足の踏み込みを受けることにより、踏み込みによって後記するトリガー具３３が落ちたり、獣足が滑り落ちて後記する踏板３２を踏んだりして、タイミングがずれた状態で括り罠を作動させてしまうことを防止するための踏力受部となっている。
【００３７】
上端板１０２ａ、１０３ａは、それぞれ外側が縦板１０１よりやや短くなるよう形成されている。これにより形成される、後記するワイヤ嵌入部１２３、１３３との間の隙間１２０、１３０には、後記するように器具本体１の内部側にセットされる後記するトリガー具３３の両側の掛け爪３３１、３３２を位置させる。そして、掛け爪３３１、３３２にワイヤロープ３７の輪状の括り部３７０を外側から掛けて掛け爪３３１、３３２の傾きを調節することで、括り部３７０の浮き上がりを防止すると共に括り部３７０の形を整えることができる。
【００３８】
なお、上記傾斜板１０２、１０３の傾斜角度は、上記角度に設定されているが、傾斜板１０２、１０３の下方に、後記する括り罠３が作動しトリガー具３３が落ちたときのトリガー具３３を逃がすために十分な大きさの逃げ空間部１０４を形成することができれば、この角度に限定されるものではない。
【００３９】
逃げ空間部１０４は、上記構成により上端板１０２ａ、１０３ａの下方に、セットされる踏板３２とは反対側に膨出するように形成されている。傾斜板１０２、１０３の間には、括り罠３と組み合わせてセットする際に、括り罠３のトリガー具３３を貫通させる通し部１０５が形成されている。
【００４０】
また、縦板１０１には、幅方向の中間に上部取付孔１４と下部差込孔１４ａが形成されている。上部取付孔１４と下部差込孔１４ａは、縦方向（上下方向）に形成された長孔である。縦板１０１には、後述する括り罠３の杭取付具３４を受ける杭取付具受具１５が、上部取付孔１４と下部差込孔１４ａに高さの調節ができるようにして取り付けられている。上部取付孔１４と下部差込孔１４ａは、後記する螺子孔１５６と蝶螺子１５８と共に高さ調節手段を構成する。
【００４１】
杭取付具受具１５は、長方形状の基板１５０と、基板１５０の正面側の両端に基板１５０と直角に対向して形成してあり、互いに平行な支持板１５１、１５２を有している。支持板１５１、１５２の上端には、支持板１５１、１５２と直角に、杭取付具３４を受ける受板１５３、１５４が形成されている。支持板１５１、１５２の間には、杭取付具３４に装着される杭３９（図５参照）を通す空隙１５５が形成されている。
【００４２】
上記基板１５０の上端寄りには、タップをたてて形成された螺子孔１５６（図３参照、以下、螺子孔の用語については同様の意味を有する）が形成されている。また、基板１５０の下端部には、裏面側へ突出して振れ止めのための係止突起１５７（図３参照）が形成されている。
杭取付具受具１５を上記前面板１０の縦板１０１に取り付ける際は、螺子孔１５６を上部取付孔１４に合わせ、係止突起１５７を下部差込孔１４ａに合わせて、蝶螺子１５８を縦板１０１の裏側から上部取付孔１４を貫通し、螺子孔１５６にねじ込んで締め付け固定する（図３参照）。これにより、杭取付具受具１５は、上部取付孔１４の長さの範囲で高さを無段階に調節できる。
【００４３】
左右の側面板１２、１３は、対称形状である。側面板１２、１３は、それぞれ長方形状の縦板１２１、１３１を有し、縦板１２１、１３１の上端には、それぞれ外側へ上がり傾斜した傾斜板１２２、１３２が形成されている。傾斜板１２２、１３２の上端には、外側へ張り出すように断面形状がほぼコ字状で器具本体側ワイヤ嵌入部を構成するワイヤ掛け部材１２３、１３３が開放側（凹部側）を内側へ向け、互いを対向させて形成されている。ワイヤ掛け部材１２３、１３３の内側の凹部は、括り罠３のワイヤロープ３７の括り部３７０を内側から掛ける掛け部となっている。なお、縦板１２１、１３１の高さは縦板１０１よりやや高く、ワイヤ掛け部材１２３、１３３の長さは傾斜板１２２、１３２の長さより前部がやや短く形成されている。
【００４４】
ワイヤ嵌入部１２３、１３３の板状の水平部１２４、１３４のやや後端寄りには、所要長さの長孔１２５、１３５が前後方向へ形成されている。なお、長孔１２５、１３５が形成されている位置及び長さは、括り罠３をセットしたときに後記する括り部調節体１８に嵌め入れる（又は、掛ける）括り部３７０の径の大きさ（前後方向の幅）を正規の規制値である１２ｃｍ以下から、緩和措置がとられている区域の規制値である１５ｃｍ以下の間でセットすることができる寸法に設定されている。
なお、長孔１２５、１３５ではなく、長孔１２５、１３５が形成されている範囲内において所要間隔で複数の通し孔を形成して、括り部調節体１８の位置を段階的に調節するようにしてもよい。
【００４５】
また、上記水平部１２４、１３４の後端近傍には、通し孔１２６、１３６が形成されている。上記傾斜板１２２、１３２の後端側上部の間には、幅方向へ渡された補強部材１６が固着されている。補強部材１６は、断面形状がほぼコ字状に形成され、開放側を下に向けた状態で固着されている。なお、器具本体１の強度が十分であれば、補強部材１６を形成しない構造とすることもできる。
【００４６】
また、後面板１１は長方形状に形成されている。後面板１１の上端と上記補強部材１６の間には、空隙１１０が形成されている。後面板１１の高さは、使用する括り罠にセットされる踏板３２の後端側を水平状態で載置することができる高さに設定されている。後面板１１の下端には、補強板１１９が後面板１１を内方へ直角に折り曲げて全長にわたり形成されている。
【００４７】
上記構造により、器具本体1の上部には、開口部１７（図２参照）が形成されている。
そして、ワイヤ掛け部材１２３、１３３の長孔１２５、１３５が形成されている部分の間には、括り部調節体１８が開口部１７を横切るように架け渡して取り付けられている。
括り部調節体１８は、細長い長方形状の基板１８０と、基板１８０の前端に斜め下方向へ形成された傾斜板１８１と、開放側（凹部側）を前方へ向けて基板１８０上面に形成されたＬ板状のワイヤ掛け１８２で構成されている。基板１８０とワイヤ掛け１８２で形成される内側の凹部は、括り罠３のワイヤロープ３７の括り部３７０を内側から掛ける掛け部となっている。
【００４８】
上記傾斜板１８１の両端部には、括り部調節体１８を器具本体１に取り付けたときに、上記傾斜板１２２、１３２に沿うように当接して荷重を受ける傾斜部１８６が形成されている。なお、傾斜板１８１は、基板１８０と直角に形成してもよく、括り部調節体１８の強度が十分であれば、設けない構造としてもよい。
また、基板１８０の両端寄りには、螺子孔１８３、１８４（図２参照）が形成されている。上記長孔１２５、１３５と螺子孔１８３、１８４及び後記する蝶螺子１８５は、開口部１７の前端と括り部調節体１８との間隔を調節する間隔調節手段を構成する。
【００４９】
括り部調節体１８の取り付けは、螺子孔１８３、１８４を長孔１２５、１３５に合わせて、固定用螺子である蝶螺子１８５を水平部１２４、１３４の下面側から長孔１２５、１３５を貫通し、螺子孔１８３、１８４にねじ込んで締め付け固定して行う（図２参照）。
これにより、括り部調節体１８は、長孔１２５、１３５の長さの範囲で、前後方向の位置を無段階に調節することができる。なお、括り部調節体１８は、例えば補強部材１６に螺子孔を設ける等して仮止めできるようにすることもできる。
【００５０】
なお、上記構造の括り罠用仕掛け補助器具Ａ１は、後記するように、錯誤捕獲の可能性がない地域においては、括り部３７０の径を大きくして仕掛けることができるように、器具本体１の前後の寸法を大きくした兼用型である。しかし、錯誤捕獲の可能性があり、上記規制が適用される地域において使用される専用型とする場合は、器具本体１の前後方向の寸法を、例えば長孔１２５、１３５の後方側を短くすることで、より小さくして、全体をコンパクトにすることもできる。
【００５１】
（作用）
図５及び図６を主に参照して、括り罠用仕掛け補助器具Ａ１を使用して括り罠３を仕掛ける方法及び作用を説明する。
【００５２】
ここで、括り罠用仕掛け補助器具Ａ１と組み合わせる跳上げ式の括り罠３の構造を簡単に説明する。括り罠３は、基アーム３５と跳上げアーム３０を有し、両アーム３０、３５はバネ３６の付勢力で拡がる構造である。符号３４は固定用の杭３９を差し込んで固定する杭取付具である。
【００５３】
杭取付具３４は筒状であり、基アーム３５に基端部が回動自在に取り付けられ、下端には円形のフランジ３４０が形成されている。基アーム３５の先端にはトリガー具３３が掛止されており、トリガー具３３の先端の踏板載置部３３０には、踏板３２の前端側が載置される。トリガー具３３の両側二箇所には、掛け爪３３１が所要間隔をおいて立設されている。各掛け爪３３１には、ワイヤロープ３７の括り部３７０が外側から掛けられる。ワイヤロープ３７には、括り部３７０を形成する締め金具３７１を有している。
【００５４】
この括り罠３は、踏板３２が捕獲対象獣の足で踏まれると、トリガー具３３が外れてバネ３６の付勢力で跳上げアーム３０が瞬時に跳ね上がり、ワイヤロープ３７の輪状の括り部３７０が絞られて足が括られるというものである。
【００５５】
（仕掛け）
括り罠用仕掛け補助器具Ａ１を使用した括り罠３の仕掛けは次のように行われる。
まず、図５に示すように、獣道に仕掛け用穴４を掘り、仕掛け用穴４の横の傾斜地に仕掛け用穴４につながる横穴４０を掘る。仕掛け用穴４に括り罠用仕掛け補助器具Ａ１を嵌め入れ、姿勢を水平にして安定させる。
【００５６】
このとき、括り罠３を仕掛ける地域が仮に石混じりの土質であり、獣道の土を掘って形成する仕掛け用穴４の形状が、石が邪魔になって多少いびつになっても、括り罠３の作動に必要な穴の形状は、嵌め入れた器具本体１の形状で補完できる。これにより、従来のような穴の形状の補正等の手間がかからず、結果的に括り罠３を迅速かつ安定よく仕掛けることができる。
【００５７】
次に、横穴４０に、各アーム３０、３５を閉じて先端にトリガー具３３を掛止したセット状態の括り罠３を設置する。まず、括り罠３の杭取付具３４のフランジ３４０を括り罠用仕掛け補助器具Ａ１の杭取付具受具１５の上に載せる。杭取付具３４に取り付けられた杭３９は杭取付具受具１５の空隙１５５に前側から横方向に入れるようにする。空隙１５５は、罠作動後に杭３９が括り罠用仕掛け補助器具Ａ１から外れやすいようにする作用があり、これにより括り罠３の分離も早くなり、括り罠３自体の破損を防止できる。
【００５８】
括り罠３は、横穴４０の傾斜にほぼ沿うように傾けられる。この際、必要であれば、杭取付具受具１５の高さを調節して括り罠３の傾きに合わせるようにする。
なお、上記のように括り罠３の位置を設定する際、先端のトリガー具３３を器具本体１の傾斜板１０２、１０３の間の通し部１０５に貫通させるようにする。
【００５９】
これにより、トリガー具３３の先端の踏板載置部３３０は、傾斜板１０２、１０３の内部側かつ逃げ空間部１０４の斜め上方に位置している。踏板載置部３３０の設定高さは、器具本体１の後面板１１の上端とほぼ同じ高さである。
そして、トリガー具３３の踏板載置部３３０と器具本体１の後面板１１の上端との間に、木製で四角形状の踏板３２（二枚構成）を水平に載置する。
【００６０】
括り部調節体１８の前後方向の位置を括り部３７０の径の大きさの規制値に合わせて設定する。なお、運用上は、括り部３７０の前後方向の幅を規制値に合わせる。すなわち、括り罠用仕掛け補助器具Ａ１を使用して括り罠３を仕掛ける区域が、正規の規制値である１２ｃｍ以下で仕掛ける必要がある区域の場合は、括り部３７０をワイヤ嵌入部１２３、１３３と括り部調節体１８のワイヤ嵌入部１８２に嵌め入れたときに、径の大きさ（前後方向の幅）が最大値１２ｃｍとなるように括り部調節体１８の位置を設定する。
【００６１】
また、同じく括り罠３を仕掛ける区域が、緩和措置がとられていることで、括り部３７０の径の大きさを、例えば１５ｃｍ以下として仕掛けてもよい区域である場合は、括り部３７０をワイヤ嵌入部１２３、１３３と括り部調節体１８のワイヤ嵌入部１８２に嵌め入れたときに、径の大きさ（前後方向の幅）が最大値１５ｃｍとなるように括り部調節体１８の位置を設定する。
【００６２】
更に、括り部調節体１８より後方に形成される後部開口部１７０を塞ぐように受板１９（図５参照）を配置する。受板１９を配置するときに、受板１９をワイヤ嵌入部１２３、１３３の溝部の後部側に挿入することで、より安定的に装着することができる。
【００６３】
なお、ツキノワグマが生息していない地域、例えば九州の各県で使用する場合は、ツキノワグマに関しては錯誤捕獲の可能性はないので、図４に示すように、括り部調節体１８を長孔１２５、１３５より更に後方にある通し孔１２６、１３６に括り部調節体１８を取り付けて、括り部３７０の径の大きさをより大きくして仕掛けることができる。
【００６４】
上記のようにワイヤロープ３７の括り部３７０は、ワイヤ嵌入部１２３、１３３とワイヤ嵌入部１８２の内側の溝部に入るように嵌め入れられるので、括り部３７０周りの土が獣足で踏み固められることを防止することができ、作動時における括り部３７０による括り動作を円滑に行うことができる。
【００６５】
最後に、括り罠３と括り罠用仕掛け補助器具Ａ１にカムフラージュのための土や草、枯れ葉等を被せて仕掛けを完了する。なお、上記したように、器具本体１の通し部１０５にトリガー具３３を貫通させることにより、セットした括り罠３が器具本体１に支えられるので、括り罠３の横倒れを防止できる。
【００６６】
（作動）
上記のように仕掛けられた括り罠用仕掛け補助器具Ａ１及び括り罠３は、特定鳥獣に指定されているツキノワグマ等の獣類が通ったり、イノシシ等の捕獲対象獣が通ることにより次のように作動する。
【００６７】
まず、ツキノワグマが通る場合、図６に示すように、例えば前足の掌部６（図６に想像線で図示）で括り罠用仕掛け補助器具Ａ１を踏んだとしても、掌部６は前面板１０と括り部調節体１８の間に形成されている前部開口部１７１の幅（括り部調節体１８の位置が実線で表した位置で約１２ｃｍ、又は想像線で表した位置で約１５ｃｍ）より十分に大きい。
これにより、前足の掌部６は前部開口部１７１から下に落ちることはなく、括り罠３も作動しないので、錯誤捕獲を防止することができる。
【００６８】
また、上記したように、括り罠用仕掛け補助器具Ａ１によれば、ツキノワグマ等の錯誤捕獲の防止を図ると共に、括り部３７０の径の大きさを調節できるので、緩和措置による括り部３７０の径の大きさの規制値の違いに柔軟に対応することができる。
【００６９】
図５に示すように、イノシシが通る場合は、傾斜板１２２、１３２で下方へ誘導される等して足５が前部開口部１７１から落ちて下方の踏板３２を踏み抜くと、括り罠３のトリガー具３３が下方へ外れて跳上げアーム３０が瞬時に跳ね上がる。外れたトリガー具３３は、逃げ空間部１０４に回り込むように落ち、踏板３２が分離して落ちるのを邪魔することがなく、踏板３２は瞬時に円滑に落下する。
【００７０】
同時に括り部３７０も引っ張られてワイヤ嵌入部１２３、１３３とワイヤ嵌入部１８２から離脱して絞られ、イノシシの足５が括り部３７０によって括られて、イノシシは捕獲される。このとき、足５は、ワイヤロープ３７によって上端板１０２ａ、１０３ａ側へ瞬時に引き寄せられ、上端板１０２ａ、１０３ａに強く当たるため、足５は括り部３７０と上端板１０２ａ、１０３ａで挟まれるようにして強く括られ、捕獲率は向上する。
【００７１】
また、括り罠用仕掛け補助器具Ａ１によれば、イノシシの足５が必ずしも前部開口部１７１に直接入って踏板３２を踏まなくても、少なくとも踏板３２より拡がった傾斜板１２２、１３２に入れば、足５を下方へ誘導して括ることができるので、この点も捕獲率の向上に寄与できる。
【００７２】
なお、イノシシの足５がトリガー具３３上方の足を括ることができない位置、例えばワイヤロープ３７の括り部３７０の前側の上で踏んだ場合、その踏力を器具本体１の上端板１０２ａ、１０３ａで受け止めることができる。これにより、足５の踏力でトリガー具３３が落ちることが防止され、いわゆる空打ち（空作動）が起こらない。イノシシの足５が括り部３７０の他の部分に当たる部分を踏んだときも、その踏力はワイヤ嵌入部１２３、１３３や括り部調節体１８、或いは受板１９で受けられることにより同様に空打ちが防止される。
【００７３】
更には、括り罠３の杭取付具３４のフランジ３４０を器具本体１の杭取付具受具１５の上に載せているので、括り罠３が踏まれても器具本体１に対して沈み込むことがなく、括り罠用仕掛け補助器具Ａ１と括り罠３の仕掛けた状態が狂いにくいので、これに起因する罠が作動しなくなる等の異常は生じにくい。
【００７４】
図７乃至図１０を参照する。
括り罠用仕掛け補助器具Ａ２は、後面板１１に取り付けられた踏板受部材１１１の高さを調節できるものであり、通し部１０５ａが縦板１０１の上端からやや下がった位置まで延長されている点と、後面板１１の内面側に踏板受部材１１１を有している点を除き、上記括り罠用仕掛け補助器具Ａ１とほぼ同様の構造を有している。
なお、図７乃至図１０において、括り罠用仕掛け補助器具Ａ１と同一または同等箇所には同一の符号を付して示し、構造について重複する説明は省略する。
【００７５】
通し部１０５ａは、上記したように縦板１０１の上端からやや下がった位置まで延長されている。この構造は、上記括り罠３とはトリガー具の構造が異なる後記する括り罠３ａの使用において、括り罠３ａの設置角度が大きい場合でも、トリガー具３３ａの位置の変化に対応できるようにするものである。
【００７６】
上記踏板受部材１１１は、長方形で板状に形成され、横方向の長さは後面板１１の幅よりやや短く形成されている。上記踏板受部材１１１には、長手方向の両側に縦方向に長い長孔１１２、１１３が形成されている。また、後面板１１の長孔１１２、１１３と対応する所要の高さの位置には、螺子孔１１４、１１５が形成されている。なお、長孔１１２、１１３と螺子孔１１４、１１５及び後記する蝶螺子１１６は、高さ調節手段を構成するものである。
【００７７】
踏板受部材１１１の取り付けは、長孔１１２、１１３を螺子孔１１４、１１５に合わせて、蝶螺子１１６を後面板１１の内面側から長孔１１２、１１３を貫通し、螺子孔１１４、１１５にねじ込んで締め付け固定して行う。これにより、踏板受部材１１１は、長孔１１２、１１３の長さの範囲で、上縁部の上下方向の位置を無段階に調節することができる。
【００７８】
（作用）
括り罠用仕掛け補助器具Ａ２の作用を説明する。
図８、図９を主に参照する。
括り罠用仕掛け補助器具Ａ２は、上記括り罠用仕掛け補助器具Ａ１と異なり、上記括り罠３だけでなく、括り罠３とはトリガー具の構造が異なる括り罠３ａを使用できるものである。
【００７９】
括り罠３ａのトリガー具３３ａは、踏板載置部３３０ａの高さが上記括り罠３の踏板載置部３３０より高くなる構造である。したがって、図８に示すように括り罠３を使用するときには、セットする踏板３２の高さが低くなるので、踏板受部材１１１の高さを低く調節して踏板３２が水平にセットできるようにする。
【００８０】
また、図１０に示すように括り罠３ａを使用するときには、セットする踏板３２の高さが高くなるので、踏板受部材１１１の高さを高く調節して踏板３２が水平にセットできるようにする。なお、本実施の形態では、踏板受部材１１１を器具本体１の後面板１１とは別体として設けたが、後面板を両縦板から分離できる構造として、両縦板に対する後面板の取り付け高さを調節できる構造としてもよい。
括り罠用仕掛け補助器具Ａ２の他の作用については、上記括り罠用仕掛け補助器具Ａ１とほぼ同様であるので、説明を省略する。
【００８１】
図１１ないし図１３を参照する。
括り罠用仕掛け補助器具Ａ３は、金属製（鉄製やステンレススチール製等）であり、上下が開口した器具本体１ｂと、器具本体１ｂの上部開口側に取り付けられている括り部調節体１８ｂを備えている。
【００８２】
器具本体１ｂは、前面板１０ｂ、後面板１１ｂ及び左右の側面板１２ｂ、１３ｂを有し、上側と下側は開口している。器具本体１ｂは、前面板１０ｂ、後面板１１ｂ及び左右の側面板１２ｂ、１３ｂを、複数のビス１００を使用して相互を固定し組み立てた構成であり、持ち運びや運搬に便利なように分解することもできる。なお、各板にビス止めのために形成されている折り曲げ部等については、説明を省略する。
【００８３】
前面板１０ｂは、鉛直方向へ直立する長方形状の縦板１０１ｂと、縦板１０１ｂ上端の左右に形成されている傾斜板１０２ｂ、１０３ｂで構成されている。
傾斜板１０２ｂ、１０３ｂは、縦板１０１ｂの上端に後面板１１ｂ方向へ張り出すように、互いに同じ所要の角度（本実施の形態では、縦板１０１ｂに対して約１４５°）で傾斜して設けられている。また、傾斜板１０２ｂ、１０３ｂの上端には、縦板１０１ｂと平行になるように直立させて上端板１０２ｃ、１０３ｃが形成されている。
【００８４】
逃げ空間部１０４ｂは、上端板１０２ｃ、１０３ｃの下方に、セットされる踏板３２とは反対側に膨出するように形成されている。傾斜板１０２ｂ、１０３ｂの間には、括り罠３と組み合わせてセットする際に、括り罠３のトリガー具３３を貫通させる通し部１０５ｂが形成されている。なお、通し部１０５ｂは、杭取付具受具１５及び後面板１１と共に括り罠配置部を構成する。
【００８５】
また、縦板１０１ｂには、括り罠用仕掛け補助器具Ａ１の上部取付孔１４及び下部差込孔１４ａと同様の上部取付孔１４及び下部差込孔１４ａが形成されている。縦板１０１ｂには、括り罠用仕掛け補助器具Ａ１の杭取付具受具１５と同様の杭取付具受具１５が、上部取付孔１４と下部差込孔１４ａに高さの調節ができるようにして取り付けられている。なお、図１１ないし図１３において、杭取付具受具１５については括り罠用仕掛け補助器具Ａ１の杭取付具受具１５と同じ箇所に同じ符号を付して示している。
【００８６】
左右の側面板１２ｂ、１３ｂは、対称形状である。側面板１２ｂ、１３ｂは、それぞれほぼ長方形で直板（平らな板）形状である縦板１２１ｂ、１３１ｂを有し、縦板１２１ｂ、１３１ｂの上端には、外側へ張り出すようにワイヤ掛け部材１２３ｂ、１３３ｂが開放側（凹部側）を内側へ向け、互いを対向させて形成されている。ワイヤ掛け部材１２３ｂ、１３３ｂの内側の凹部は、括り罠３のワイヤロープ３７の括り部３７０を内側から掛ける掛け部となっている。なお、縦板１２１ｂ、１３１ｂの高さは縦板１０１より高く、ワイヤ掛け部材１２３ｂ、１３３ｂの長さは縦板１２１ｂ、１３１ｂの長さより前部がやや短く形成されている。
【００８７】
ワイヤ掛け部材１２３ｂ、１３３ｂの底板１２４ｂ、１３４ｂは、外側方向へ所要の角度で上り傾斜している。本実施の形態では、縦板１２１ｂ、１３１ｂに対し、１００°（水平方向に対し１０°）に設定されているが、これに限定されるものではなく、適宜設定できる。底板１２４ｂ、１３４ｂには、上板１２７ｂ、１３７ｂが所要の角度で上方側かつ内方向へ折り返すように形成されている。上板１２７ｂ、１３７ｂの角度は、本実施の形態では、底板１２４ｂ、１３４ｂに対し約５０°に設定されているが、これに限定するものではない。
【００８８】
底板１２４ｂ、１３４ｂの後端寄りには、所要長さの長孔１２５ｂ、１３５ｂが前後方向へ形成されている。なお、長孔１２５ｂ、１３５ｂが形成されている位置及び長さは、括り罠３をセットしたときに後記する括り部調節体１８に掛ける括り部３７０の径の大きさ（前後方向の幅）を正規の規制値である１２ｃｍ以下から、緩和措置がとられている区域の規制値である１５ｃｍ以下の間でセットすることができる寸法に設定されている。
なお、後面板１１ｂの高さは、その上端に、使用する括り罠にセットされる踏板３２の後端側を水平状態で載置することができる高さに設定されている。
【００８９】
上記構造により、器具本体1の上部には、開口部１７ｂ（図１１参照）が形成されている。そして、ワイヤ掛け部材１２３ｂ、１３３ｂの長孔１２５ｂ、１３５ｂが形成されている部分の間には、括り部調節体１８ｂが開口部１７ｂを横切るように架け渡して取り付けられている。
【００９０】
括り部調節体１８ｂの底板１８０ｂは、後側方向へ所要の角度で上り傾斜している。本実施の形態では、水平方向に対し１０°に設定されているが、これに限定されるものではなく、適宜設定できる。底板１８０ｂの両端部には、傾斜した底板１２４ｂ、１３４ｂに平行に接面できるように、ほぼ三角形状の折り曲げ部１８７が形成されている。各折り曲げ部１８７には、螺子孔（符号省略）が形成されている。
【００９１】
また、底板１８０ｂには、上板１８１ｂが所要の角度で上方側かつ前方向へ折り返すように形成されている。本実施の形態では、底板１８０ｂに対し約５０°に設定されているが、これに限定するものではない。括り部調節体１８ｂの前側の凹部は、括り罠３のワイヤロープ３７の括り部３７０を内側から掛ける掛け部となっている。
【００９２】
括り部調節体１８ｂの取り付けは、両端部の折り曲げ部１８７に形成されている螺子孔を長孔１２５ｂ、１３５ｂに合わせて、固定用ネジである蝶ネジ１８５ｂを底板１８０ｂの下面側から長孔１２５ｂ、１３５ｂを貫通し、螺子孔にねじ込んで締め付けて行う。これにより、括り部調節体１８ｂは、長孔１２５ｂ、１３５ｂの長さの範囲で、前後方向の位置を無段階に調節することができる。
【００９３】
（作用）
括り罠用仕掛け補助器具Ａ３の作用を説明する。
括り罠用仕掛け補助器具Ａ３の基本的な作用は、括り罠用仕掛け補助器具Ａ１、Ａ２とほぼ同様であるので、ここでは説明を省略し、相違する点について説明する。
【００９４】
図１４を参照する。
括り罠用仕掛け補助器具Ａ３は、器具本体１ｂの両側面板１２ｂ、１３ｂが直板形状であり、上部側が鉛直方向に立ち上がった構成となっている。
この構成によれば、例えばイノシシの捕獲を例にとると、イノシシの足５の後爪（小爪）５１が、器具本体側ワイヤ嵌入部を構成する部材であるワイヤ掛け部材１３３ｂに引っ掛かるようにして足５に体重がかかった場合、前爪５２の下方に邪魔になる部分がないので、前爪５２は後爪５１が引っ掛かった部分を中心として下方（矢印方向）へ回るようにして落ちる。
【００９５】
これにより、踏板（図示省略）に載せてある草や土（図示省略）が前爪５２で上から押され、踏板が落ちて、括り罠（図示省略）が作動し、イノシシの足は後爪５１と前爪５２の股の近く、つまり前爪５２の根元部分がワイヤロープ３７の括り部３７０で括られる。括り部３７０がこの部分を括ることにより、括った後も括り部３７０が外れにくく、この括り方でもイノシシの捕獲が可能になり、捕獲率が向上する。
【００９６】
なお、ワイヤ掛け部材１３３ｂの凹部に嵌め入れられたワイヤロープ３７の括り部３７０は、上板１３７ｂでガードされるので、イノシシ等の足で踏まれても、括り部３７０が直接踏まれることはなく、罠作動時の括り部３７０の括る動きを邪魔しないので、円滑に作動する。これについては、括り罠用仕掛け補助器具Ａ３の他のワイヤ掛け部材１２３ｂ及び括り部調節体１８ｂ、更には括り罠用仕掛け補助器具Ａ１、Ａ２及び後記括り罠用仕掛け補助器具Ａ４、Ａ５の各ワイヤ掛け部材及び各括り部調節体も同様である。
【００９７】
また、括り罠用仕掛け補助器具Ａ３は、ワイヤ掛け部材１２３ｂ、１３３ｂに、掛け部を構成する底板１２４ｂ、１３４ｂを有し、これら底板１２４ｂ、１３４ｂは外側方向へ上り傾斜させた構成を有している。
これにより、本実施の形態のように、括り部調節体１８ｂの移動調節時の固定用として蝶ネジ１８５を使用する場合において、蝶ネジ１８５のネジ部が底板１２４ｂ、１３４ｂの下側において外側に開くように傾くので、手操作で蝶ネジ１８５の締め付け作業や緩め作業を行う際に、蝶ネジ１８５と、ワイヤ掛け部材１２３ｂ、１３３ｂにつながる縦板１２１ｂ、１３１ｂとの間の隙間が広くなり、作業がしやすくなる。
【００９８】
図１５を参照する。
罠用仕掛け補助器具Ａ４は、ワイヤ掛け部材１２３ｃ、１３３ｃ及び括り部調節体１８ｃの構造についてのみ、括り罠用仕掛け補助器具Ａ３のワイヤ掛け部材１２３ｂ、１３３ｂ及び括り部調節体１８ｂと相違し、他の部分は罠用仕掛け補助器具Ａ３と同じ構造である。なお、図１５において、罠用仕掛け補助器具Ａ３と同等箇所には同一の符号を付して示し、構造について重複する説明は省略する。
【００９９】
罠用仕掛け補助器具Ａ４のワイヤ掛け部材１２３ｃ、１３３ｃは、底板１２４ｃ、１３４ｃを有し、底板１２４ｃ、１３４ｃは外側方向へ所要の角度で上り傾斜している。本実施の形態では、縦板１２１ｂ、１３１ｂに対し、１００°（水平方向に対し１０°）に設定されているが、これに限定されるものではなく、適宜設定できる。
【０１００】
底板１２４ｃ、１３４ｃには、立ち上げ板１２８ｃ、１３８ｃが鉛直方向へ形成され、更に立ち上げ板１２８ｃ、１３８ｃには上板１２７ｃ、１３７ｃが所要の角度で上方側かつ内方向へ折り返すように形成されている。上板１２７ｃ、１３７ｃの角度は、本実施の形態では、底板１２４ｃ、１３４ｃに対し約５０°に設定されているが、これに限定するものではない。
【０１０１】
括り部調節体１８ｃは、底板１２４ｃ、１３４ｃ、立ち上げ板１２８ｃ、１３８ｃ及び上板１２７ｃ、１３７ｃで形成されるワイヤ掛け部材１２３ｃ、１３３ｃの断面形状と断面形状が同様であり、底板１８０ｃ、立ち上げ板１８１ｃ及び上板１８２ｃで形成されている。
なお、罠用仕掛け補助器具Ａ４の作用は、罠用仕掛け補助器具Ａ３とほぼ同様であるので、説明を省略する。
【０１０２】
図１６を参照する。
罠用仕掛け補助器具Ａ５は、ワイヤ掛け部材１２３ｄ、１３３ｄ及び括り部調節体１８ｄの構造についてのみ、括り罠用仕掛け補助器具Ａ３のワイヤ掛け部材１２３ｂ、１３３ｂ及び括り部調節体１８ｂと相違し、他の部分は罠用仕掛け補助器具Ａ３と同じ構造である。なお、図１６において、罠用仕掛け補助器具Ａ３と同等箇所には同一の符号を付して示し、構造について重複する説明は省略する。
【０１０３】
罠用仕掛け補助器具Ａ５のワイヤ掛け部材１２３ｄ、１３３ｄは、底板１２４ｄ、１３４ｄを有し、底板１２４ｄ、１３４ｄは外側方向へ所要の角度で上り傾斜している。本実施の形態では、縦板１２１ｂ、１３１ｂに対し、１２０°（水平方向に対し３０°）に設定されているが、これに限定されるものではなく、適宜設定できる。
【０１０４】
底板１２４ｄ、１３４ｄには、上板１２７ｄ、１３７ｄが所要の角度で上方側かつ内方向へ折り返すように形成されている。上板１２７ｄ、１３７ｄの角度は、本実施の形態では、底板１２４ｄ、１３４ｄに対し約７０°に設定されているが、これに限定するものではない。
【０１０５】
括り部調節体１８ｄは、底板１２４ｄ、１３４ｄ及び上板１２７ｄ、１３７ｄで形成されるワイヤ掛け部材１２３ｄ、１３３ｄの断面形状と断面形状が同様であり、底板１８０ｄ及び上板１８２ｄで形成されている。
なお、罠用仕掛け補助器具Ａ５の作用は、罠用仕掛け補助器具Ａ３とほぼ同様であるので、説明を省略する。
【０１０６】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【０１０７】
Ａ１  括り罠用仕掛け補助器具
１  器具本体
１０  前面板
１０１  縦板
１０２、１０３  傾斜板
１０２ａ、１０３ａ  上端板
１０４  空間部
１０５  通し部
１０９  補強板
１１  後面板
１１０  空隙
１１９  補強板
１２、１３  側面板
１２０、１３０  隙間
１２１、１３１  縦板
１２２、１３２  傾斜板
１２３、１３３  ワイヤ嵌入部
１２４、１３４  水平部
１２５、１３５  長孔
１２６、１３６  通し孔
１４  上部取付孔
１４ａ  下部差込孔
１５  取付具受具
１５０  基板
１５１、１５２  支持板
１５３、１５４  受板
１５５  空隙
１５６  螺子孔
１５７  係止突起
１５８  蝶螺子
１６  補強部材
１７  開口部
１７０  後部開口部
１７１  前部開口部
１８  括り部調節体
１８０  基板
１８１  傾斜板
１８２  ワイヤ嵌入部
１８３、１８４  螺子孔
１８５  蝶螺子
１８６  傾斜部
１９  受板
３  括り罠
３０  跳上げアーム
３２  踏板
３３  トリガー具
３３０  踏板載置部
３３１、３３２  掛け爪
３４  杭取付具
３４０  フランジ
３５  基アーム
３６  バネ
３７  ワイヤロープ
３７０  括り部
３７１  締め金具
３９  杭
４  仕掛け用穴
４０  横穴
５  足
５１  後爪
５２  前爪
６  掌部
Ａ２  括り罠用仕掛け補助器具
１０５ａ  通し部
１１１  踏板受部材
１１２、１１３  長孔
１１４、１１５  螺子孔
１１６  蝶螺子
３ａ  括り罠
３３ａ  トリガー具
３３０ａ  踏板載置部
Ａ３  括り罠用仕掛け補助器具
１ｂ  器具本体  
１０ｂ  前面板
１００  ビス
１０１ｂ  縦板
１０２ｂ、１０３ｂ  傾斜板
１０２ｃ、１０３ｃ  上端板
１０４ｂ  逃げ空間部
１０５ｂ  通し部
１１ｂ  後面板
１２ｂ、１３ｂ  側面板
１２１ｂ、１３１ｂ  縦板
１２３ｂ、１３３ｂ  ワイヤ掛け部材
１２４ｂ、１３４ｂ  底板
１２５ｂ、１３５ｂ  長孔
１２７ｂ、１３７ｂ  上板
１７ｂ  開口部
１８ｂ  括り部調節体
１８０ｂ  底板
１８１ｂ  上板
１８７  折り曲げ部
１８５ｂ  蝶ネジ
Ａ４ 補助器具
１２３ｃ、１３３ｃ  ワイヤ掛け部材
１２４ｃ、１３４ｃ  底板
１２７ｃ、１３７ｃ  上板
１２８ｃ、１３８ｃ  立ち上げ板
１８ｃ  括り部調節体
１８０ｃ  底板
１８１ｃ  立ち上げ板
１８２ｃ  上板
Ａ５  補助器具
１２３ｄ、１３３ｄ  ワイヤ掛け部材
１２４ｄ、１３４ｄ  底板
１２７ｄ、１２７ｄ  上板
１８ｄ  括り部調節体
１８０ｄ  底板
１８２ｄ  上板
【図１】
2014079239.tif 000003
【図２】
2014079239.tif 000004
【図３】
2014079239.tif 000005
【図４】
2014079239.tif 000006
【図５】
2014079239.tif 000007
【図６】
2014079239.tif 000008
【図７】
2014079239.tif 000009
【図８】
2014079239.tif 000010
【図９】
2014079239.tif 000011
【図１０】
2014079239.tif 000012
【図１１】
2014079239.tif 000013
【図１２】
2014079239.tif 000014
【図１３】
2014079239.tif 000015
【図１４】
2014079239.tif 000016
【図１５】
2014079239.tif 000017
【図１６】
2014079239.tif 000018